(57)【特許請求の範囲】
【請求項１】
ロール状物品を、パレット上において、ｎ段（ｎは２以上の整数）に積み上げた状態で梱包する方法であって、
（１）１段目のロール状物品を寝かせた状態で互いに隣接させてパレット上に平行に並べ、前記１段目のロール状物品の長手方向両端面のそれぞれにおいて、少なくとも１本の粘着テープを前記１段目のロール状物品の列方向に当該列の一端から他端まで貼り渡すことによって、前記１段目のロール状物品同士を固定するステップと、
（２）ｉ＝２からｎまで、次のステップ（ａ）〜（ｃ）を繰り返し実行するステップと、を有することを特徴とする方法。
（ａ）（ｉ−１）段目のロール状物品の列の上にｉ段目のロール状物品を互いに隣接させて平行に並べ、前記ｉ段目のロール状物品の長手方向両端面のそれぞれにおいて、少なくとも１本の粘着テープを前記ｉ段目のロール状物品の列方向に当該列の一端から他端まで貼り渡すことによって、前記ｉ段目のロール状物品同士を固定するステップ
（ｂ）ｉ＝ｉ＋１とするステップ
（ｃ）ｉ≦ｎの場合には、ステップ（ａ）〜（ｂ）を再び実行するが、ｉ＞ｎの場合には、ｎ段に積み上げた前記ロール状物品の集積体の側面に、ラップフィルムを少なくとも１周巻き付けることによって、前記ロール状物品を互いに結束するステップ
【請求項２】
前記ステップ（２）において、ｉ＝２からｍ（ｍ＜ｎ）まで、前記ステップ（ａ）〜（ｃ）を繰り返し実行し、次いで、ｉ＝ｍ＋１からｎまで、前記ステップ（ａ）〜（ｃ）を繰り返し実行することを特徴とする請求項１に記載の方法。
【請求項３】
前記ステップ（１）において、さらに、少なくとも１本の粘着テープを、上方から、前記１段目のロール状物品の列方向に当該列の一端から他端まで貼り渡すことによって、前記１段目のロール状物品同士を固定することを特徴とする請求項１または請求項２に記載の方法。
【請求項４】
前記ステップ（１）において、前記１段目のロール状物品を寝かせた状態で互いに隣接させて前記パレット上に平行に並べた後、さらに１本の付加的なロール状物品の外周に少なくとも１本の粘着テープの一端側をループ状に貼着し、前記付加的なロール状物品を、寝かせた状態で、最外側の前記１段目のロール状物品の外側に隣接させて並べ、前記粘着テープの他端側を、上方から、前記１段目のロール状物品の列方向に当該列の一端から他端まで貼り渡すことによって、前記付加的なロール状物品を前記１段目のロール状物品の列に固定し、その後、前記１段目のロール状物品および前記付加的なロール状物品の長手方向両端面のそれぞれにおいて、少なくとも１本の粘着テープを、前記１段目のロール状物品および前記付加的なロール状物品の列方向に当該列の一端から他端まで貼り渡すことによって、当該ロール状物品同士を固定することを特徴とする請求項１〜請求項３のいずれかに記載の方法。
【請求項５】
前記ステップ（２）（ａ）において、さらに、少なくとも１本の粘着テープを、上方から、前記ｉ段目のロール状物品の列方向に当該列の一端から他端まで貼り渡すことによって、前記ｉ段目のロール状物品同士を固定することを特徴とする請求項１〜請求項４のいずれかに記載の方法。
【請求項６】
前記ステップ（２）（ａ）において、前記（ｉ−１）段目のロール状物品の列の上に前記ｉ段目のロール状物品を互いに隣接させて平行に並べた後、さらに１本の付加的なロール状物品の外周に少なくとも１本の粘着テープの一端側をループ状に貼着し、前記付加的なロール状物品を、寝かせた状態で、最外側の前記ｉ段目のロール状物品の外側に隣接させて並べ、前記粘着テープの他端側を、上方から、前記ｉ段目のロール状物品の列方向に当該列の一端から他端まで貼り渡すことによって、前記付加的なロール状物品を前記ｉ段目のロール状物品の列に固定し、その後、前記ｉ段目のロール状物品および前記付加的なロール状物品の長手方向両端面のそれぞれにおいて、少なくとも１本の粘着テープを、前記ｉ段目のロール状物品および前記付加的なロール状物品の列方向に当該列の一端から他端まで貼り渡すことによって、当該ロール状物品同士を固定することを特徴とする請求項１〜請求項５のいずれかに記載の方法。
【請求項７】
上段のロール状物品を、それぞれ、その直ぐ下段のロール状物品間の谷間に配置することを特徴とする請求項１〜請求項６のいずれかに記載の方法。
【請求項８】
上段のロール状物品を、それぞれ、その直ぐ下段のロール状物品の真上に配置した場合、前記上段のロール状物品の長手方向両端面のそれぞれにおいて、前記上段のロール状物品の列の最外側のロール状物品と、前記その直ぐ下段のロール状物品の列との間に、斜め方向に、少なくとも１本の粘着テープを貼り渡すことによって、前記最外側のロール状物品を前記その直ぐ下段のロール状物品の列に固定することを特徴とする請求項１〜請求項６のいずれかに記載の方法。
【請求項９】
前記ロール状物品を並べる前に、前記パレット上に、予め、滑り止めシートを配置することを特徴とする請求項１〜請求項８のいずれかに記載の方法。
【発明の詳細な説明】
【技術分野】
【０００１】
本発明は、例えば、服地、カーペット、カーテン生地のような繊維製品や、プラスチックフィルム等をロール状に巻き取ったものからなるロール状物品を梱包する方法に関する。
【背景技術】
【０００２】
この種のロール状物品のトラック、船舶および航空機等による輸送の際、これらのロール状物品は梱包されるが、この梱包は、従来、ロール状物品を２〜５本ずつ適当に小分けにしておき、ロール状物品の各組を直接バンドで結束することによって（図１０参照）、または、ロール状物品の組をそれぞれプラスチックフィルム製の梱包用袋に収容した後、結束機を用いて袋の上からバンドで結束することによって（図１１参照）、または、さらに、これらの結束したロール状物品の各組を、規格寸法の段ボール箱に箱詰めすることによってなされていた。
【０００３】
そして、結束されたロール状物品の各組が、パレット上に、荷崩れしないように適当に積み上げられた後、あるいは、結束されたロール状物品の組の箱詰めされた段ボール箱が、パレット上に載せられた後、パレットと一緒に、フォークリフト等によってトラックの荷台やコンテナ内等に積み込まれていた。
【０００４】
しかし、このような従来の梱包方法によれば、結束したロール状物品の組をパレット上に積み上げた場合には、上下左右に隣り合うロール状物品の組の間に無駄な隙間が生じ、また、結束したロール状物品の組を段ボール箱に箱詰めした場合にも、段ボール箱内に無駄な隙間が生じ、それが輸送コストの上昇の一因となっていた。
【０００５】
また、梱包用袋や段ボール箱を使用した場合には、それらの梱包のコストが高くついてしまい、さらに、これらの梱包資材は、通常、使い捨てにされるので、資源の無駄遣いも招いていた。
【０００６】
また、従来の梱包方法によれば、小分けにされたロール状物品が、バンドによって、直接にあるいは梱包袋の上から結束されるが、このとき、結束機を用いた、バンドによる結束は、ロール状物品の結束が簡単に解けないようにすべく、バンドがロール状物品に食い込むようになされるので、例えば、起毛した服地やカーペットのロール等の場合には、梱包が解かれたときに、服地およびカーペットに、容易に回復させることができないバンドによる結束跡が残り、商品価値を損ねてしまうおそれがあった。
【発明の概要】
【発明が解決しようとする課題】
【０００７】
したがって、本発明の課題は、ロール状物品を傷めず、しかもその梱包および輸送のコストを大幅に低減できる梱包方法を提供することにある。
【課題を解決するための手段】
【０００８】
上記課題を解決するため、本発明は、ロール状物品を、パレット上において、ｎ段（ｎは２以上の整数）に積み上げた状態で梱包する方法であって、
（１）１段目のロール状物品を寝かせた状態で互いに隣接させてパレット上に平行に並べ、前記１段目のロール状物品の長手方向両端面のそれぞれにおいて、少なくとも１本の粘着テープを前記１段目のロール状物品の列方向に当該列の一端から他端まで貼り渡すことによって、前記１段目のロール状物品同士を固定するステップと、
（２）ｉ＝２からｎまで、次のステップ（ａ）〜（ｃ）を繰り返し実行するステップと、を有することを特徴とする方法。
（ａ）（ｉ−１）段目のロール状物品の列の上にｉ段目のロール状物品を互いに隣接させて平行に並べ、前記ｉ段目のロール状物品の長手方向両端面のそれぞれにおいて、少なくとも１本の粘着テープを前記ｉ段目のロール状物品の列方向に当該列の一端から他端まで貼り渡すことによって、前記ｉ段目のロール状物品同士を固定するステップ
（ｂ）ｉ＝ｉ＋１とするステップ
（ｃ）ｉ≦ｎの場合には、ステップ（ａ）〜（ｂ）を再び実行するが、ｉ＞ｎの場合には、ｎ段に積み上げた前記ロール状物品の集積体の側面に、ラップフィルムを少なくとも１周巻き付けることによって、前記ロール状物品を互いに結束するステップ
としたものである。
【０００９】
この場合、前記ステップ（２）において、ｉ＝２からｍ（ｍ＜ｎ）まで、前記ステップ（ａ）〜（ｃ）を繰り返し実行し、次いで、ｉ＝ｍ＋１からｎまで、前記ステップ（ａ）〜（ｃ）を繰り返し実行するようにしてもよい。
前記ステップ（１）において、さらに、少なくとも１本の粘着テープを、上方から、前記１段目のロール状物品の列方向に当該列の一端から他端まで貼り渡すことによって、前記１段目のロール状物品同士を固定してもよい。
また、前記ステップ（１）において、前記１段目のロール状物品を寝かせた状態で互いに隣接させて前記パレット上に平行に並べた後、さらに１本の付加的なロール状物品の外周に少なくとも１本の粘着テープの一端側をループ状に貼着し、前記付加的なロール状物品を、寝かせた状態で、最外側の前記１段目のロール状物品の外側に隣接させて並べ、前記粘着テープの他端側を、上方から、前記１段目のロール状物品の列方向に当該列の一端から他端まで貼り渡すことによって、前記付加的なロール状物品を前記１段目のロール状物品の列に固定し、その後、前記１段目のロール状物品および前記付加的なロール状物品の長手方向両端面のそれぞれにおいて、少なくとも１本の粘着テープを、前記１段目のロール状物品および前記付加的なロール状物品の列方向に当該列の一端から他端まで貼り渡すことによって、前記ロール状物品同士を固定してもよい。
【００１０】
前記ステップ（２）（ａ）において、さらに、少なくとも１本の粘着テープを、上方から、前記ｉ段目のロール状物品の列方向に当該列の一端から他端まで貼り渡すことによって、前記ｉ段目のロール状物品同士を固定してもよい。
また、前記ステップ（２）（ａ）において、前記（ｉ−１）段目のロール状物品の列の上に前記ｉ段目のロール状物品を互いに隣接させて平行に並べた後、さらに１本の付加的なロール状物品の外周に少なくとも１本の粘着テープの一端側をループ状に貼着し、前記付加的なロール状物品を、寝かせた状態で、最外側の前記ｉ段目のロール状物品の外側に隣接させて並べ、前記粘着テープの他端側を、上方から、前記ｉ段目のロール状物品の列方向に当該列の一端から他端まで貼り渡すことによって、前記付加的なロール状物品を前記ｉ段目のロール状物品の列に固定し、その後、前記ｉ段目のロール状物品および前記付加的なロール状物品の長手方向両端面のそれぞれにおいて、少なくとも１本の粘着テープを、前記ｉ段目のロール状物品および前記付加的なロール状物品の列方向に当該列の一端から他端まで貼り渡すことによって、当該ロール状物品同士を固定してもよい。
【００１１】
本発明において、上段のロール状物品を、それぞれ、その直ぐ下段のロール状物品間の谷間に配置してもよいし、上段のロール状物品を、それぞれ、その直ぐ下段のロール状物品の真上に配置してもよい。後者の場合には、前記上段のロール状物品の長手方向両端面のそれぞれにおいて、前記上段のロール状物品の列の最外側のロール状物品と、前記その直ぐ下段のロール状物品の列との間に、斜め方向に、少なくとも１本の粘着テープを貼り渡すことによって、前記最外側のロール状物品を前記その直ぐ下段のロール状物品の列に固定することが好ましい。
また、前記ロール状物品を並べる前に、前記パレット上に、予め、滑り止めシートを配置することが好ましい。
【発明の効果】
【００１２】
本発明によれば、ロール状物品を、パレット上に寝かせた状態で１段ずつ隙間無く並べ、要所を粘着テープで固定しながら積み上げた後、出来上がったロール状物品の集積体の側部にラップフィルムを巻き付けることにより、ロール状物品を互いに結束するので、無駄なスペースの発生が最小限に抑えられる。このとき、ロール状物品の梱包体の上面は常に平坦面となるので、このロール状物品の梱包体の上に、さらに、別のロール状物品の梱包体を関係するパレットとともに隙間無く積み上げることができる。こうして、従来の梱包法と比較して、同じ大きさのスペース内により多くのロール状物品を積み込むことができ、よって、輸送のコストを大幅に削減することができる。
また、輸送時の積み込み・積み降ろし作業は、通常、フォークリフトを使用してパレット単位でなされるところ、本発明によれば、従来のように複数の小分け梱包したロール状物品の組を関係するパレットに積み上げるのではなく、ロール状物品を直接パレット上で梱包してしまうので、ロール状物品の梱包体とパレットを常に１対１で関係づけることができるので、１のパレット上に関係のないロール状物品が混在する等の問題を生じさせることなく、輸送時のロール状物品の管理を確実に行うことができる。
【００１３】
また、本発明によれば、結束時に、粘着テープおよびラップフィルムを各ロール状物品に食い込ませることなく、各ロール状物品に余計な圧力を及ぼさずに、ロール状物品をソフトに梱包することができ、よって、ロール状物品に、結束跡を残す等して、傷をつけるおそれがない。
さらに、本発明によれば、梱包には、粘着テープおよびラップフィルムを用いるだけでよく、梱包用袋や段ボール箱は不要であり、さらには、結束機を用いたバンド結束も不要になるから、梱包のコストを従来よりも大幅に削減することができる。
【図面の簡単な説明】
【００１４】
【図１】本発明によるロール状物品の梱包方法の手順を示すフロー図である。
【図２】本発明による梱包方法の手順を図説する斜視図である。
【図３】本発明による梱包方法の手順を図説する斜視図である。
【図４】本発明による梱包方法の手順を図説する側面図である。
【図５】本発明による梱包方法の手順を図説する斜視図である。
【図６】本発明による梱包方法の手順を図説する斜視図である。
【図７】本発明による梱包方法の手順を図説する斜視図である。
【図８】本発明による梱包方法の手順を図説する斜視図である。
【図９】本発明による梱包方法の手順を図説する斜視図である。
【図１０】従来の梱包法を用いたロール状物品の結束状態を示す写真である。
【図１１】従来の梱包法を用いたロール状物品の結束状態を示す写真である。
【発明を実施するための形態】
【００１５】
以下、添付図面を参照して本発明の好ましい実施例を説明する。図１は、本発明によるロール状物品の梱包方法の手順示すフロー図であり、図２〜図９は、図１に示した本発明による方法の手順を図説したものである。
図１および図２を参照して、本発明によれば、まず、１段目のロール状物品１を寝かせた状態で互いに隣接させてパレット２上に平行に並べ、１段目のロール状物品１の長手方向両端面のそれぞれにおいて、少なくとも１本の粘着テープ３を１段目のロール状物品１の列方向に当該列の一端から他端まで貼り渡すことによって、１段目のロール状物品１同士を固定する（図１のＳ１）。
【００１６】
この場合、粘着テープ３による固定だけでは、１段目のロール状物品１の列の上にさらに別のロール状物品を積み上げていく際に、１段目のロール状物品１の列が分離して荷崩れするおそれがある場合には、図３に示すように、さらに、少なくとも１本の粘着テープ４を、上方から、１段目のロール状物品１の列方向に当該列の一端から他端まで貼り渡すことによって、１段目のロール状物品１同士を固定する。
【００１７】
また、一度に梱包すべきロール状物品の総数から計算して、最外側の１段目のロール状物品１の外側に、さらに１本の付加的なロール状物品をパレット２からはみ出して配置しなければならない場合があるが、かかる場合には、次のステップを実行する。
すなわち、図４を参照して、１段目のロール状物品１を寝かせた状態で互いに隣接させてパレット２上に平行に並べた後、さらに１本の付加的なロール状物品６の外周に少なくとも１本の粘着テープ５の一端側をループ状に貼着し（図４Ａ）、付加的なロール状物品６を、寝かせた状態で、最外側の１段目のロール状物品１の外側に隣接させて並べ、粘着テープ５の他端側を、上方から、１段目のロール状物品１の列方向に一端から他端まで貼り渡すことによって、付加的なロール状物品６を１段目のロール状物品１の列に固定する（図４Ｂ）。その後、１段目のロール状物品１および付加的なロール状物品６の長手方向両端面のそれぞれにおいて、少なくとも１本の粘着テープ３を、ロール状物品１、６の列方向に当該列の一端から他端まで貼り渡すことによって、ロール状物品１、６同士を固定する。
【００１８】
また、ステップＳ１において、ロール状物品１を並べる前に、パレット２上に、予め滑り止めシートを配置しておけば、ロール状物品１の梱包をより安定して行うことができ、ロール状物品が汚れることも防止できる。
【００１９】
本発明によれば、次いで、ｉ＝２からｎまで、次のステップＳ３〜Ｓ６を繰り返す（図１のＳ２）。
＊ステップＳ３：（ｉ−１）段目のロール状物品の列の上にｉ段目のロール状物品を互いに隣接させて平行に並べ、ｉ段目のロール状物品の長手方向両端面のそれぞれにおいて、少なくとも１本の粘着テープをｉ段目のロール状物品の列方向に当該列の一端から他端まで貼り渡すことによって、ｉ段目のロール状物品同士を固定するステップ
＊ステップＳ４：ｉ＝ｉ＋１とするステップ
＊ステップＳ５〜Ｓ６：ｉ≦ｎの場合には、ステップＳ３〜Ｓ４を再び実行するが、ｉ＞ｎの場合には、ｎ段に積み上げたロール状物品の集積体の側面に、ラップフィルムを少なくとも１周巻き付けることによって、ロール状物品を互いに結束するステップ
それによって、ロール状物品の梱包が完成する。
【００２０】
なお、ステップＳ３において、粘着テープによる固定だけでは、ｉ段目のロール状物品の列の上にさらに別のロール状物品を積み上げていく際に、ｉ段目のロール状物品の列が分離するおそれがある場合には、図３に示したのと同様、さらに、少なくとも１本の粘着テープを、上方から、ｉ段目のロール状物品の列方向に当該列の一端から他端まで貼り渡すことによって、ｉ段目のロール状物品１同士を固定する。
【００２１】
ステップＳ３〜Ｓ６の繰り返しによって、パレット２上には、ロール状物品が積み上げられていくが、このとき、上段のロール状物品をそれぞれその直ぐ下段のロール状物品間の谷間に配置すると、ロール状物品の積み上げ段数が増えるにつれて、ロール状物品の集積体は上向きに先細りの形状になり、ロール状物品の集積体同士を安定的にかつ隙間無く積み上げることができなくなる。
【００２２】
かかる場合には、本発明によれば、ステップＳ３において、（ｉ−１）段目のロール状物品の列の上にｉ段目のロール状物品を互いに隣接させて平行に並べた後、図４に示したのと同様に、さらに１本の付加的なロール状物品の外周に少なくとも１本の粘着テープの一端側をループ状に貼着し、付加的なロール状物品を、寝かせた状態で、最外側のｉ段目のロール状物品の外側に隣接させて並べ、粘着テープの他端側を、上方から、ｉ段目のロール状物品の列方向に当該列の一端から他端まで貼り渡すことによって、付加的なロール状物品をｉ段目のロール状物品の列に固定する。そして、ｉ段目のロール状物品および付加的なロール状物品の長手方向両端面のそれぞれにおいて、少なくとも１本の粘着テープを、ｉ段目のロール状物品および前記付加的なロール状物品の列方向に当該列の一端から他端まで貼り渡すことによって、当該ロール状物品同士を固定する。
この場合、（ｉ−１）段目の列が付加的なロール状物品を含んでいるときには、ｉ段目の付加的なロール状物品を、ｉ段目のロール状物品の列の、（ｉ−１）段目の付加的なロール状物品から遠ざかる側の端に固定する。
【００２３】
それによって、上段のロール状物品をそれぞれその直ぐ下段のロール状物品間の谷間に配置しつつロール状物品を多段に積み上げる場合であっても、交互に反対側の端に付加的なロール状物品が配置されるようにして、段毎に常に同数のロール状物品を並べることによって、直方体に近い形状のロール状物品の集積体とすることができるので、ロール状物品の集積体同士を安定的にかつ隙間無く積み上げることが可能となる。
【００２４】
ロール状物品の重量や積み上げ段数によっては、ｎ段まで一気に積み上げようとすると、下方の段のロール状物品間の粘着テープによる固定が、上からの圧力に抗しきれずに解かれてしまい、荷崩れしてしまうおそれがある場合がある。かかる場合には、例えば、ステップＳ２において、まず、ｉ＝１からｍ（ｍ＜ｎ）まで、ステップＳ３〜Ｓ６を繰り返し実行することによって、パレット上にｍ段に積み上げたロール状物品の集積体をラップシートによって互いに結束し、次いで、ｉ＝ｍ＋１からｎまで、ステップＳ３〜Ｓ６を繰り返して実行して、結束したｍ段のロール状物品の集積体の上にさらに（ｎ−ｍ）段のロール状物品を積み上げることによってｎ段のロール状物品の集積体とし、ｎ段のロール状物品の集積体をラップシートによって結束する。なお、この例では、ｎ段を２段に小分けにしたが、必要に応じて、ｎ段を２段以上の適当な段に小分けし、順次、段毎にラップシートで結束しつつ、ロール状物品を積み上げていけばよい。
【００２５】
次に、ステップＳ２を、ｎ＝４の場合について、図面を参照して具体的に説明する。まず、図５Ａに示すように、１段目のロール状物品１の列の上に２段目のロール状物品７を互いに隣接させて平行に並べる。図示の例では、２段目のロール状物品７をそれぞれ、１段目のロール状物品１間の谷間に配置するので、図４に示したのと同様にして、さらに１本の付加的なロール状物品９の外周に粘着テープ８の一端側をループ状に貼着し、付加的なロール状物品９を、寝かせた状態で、最外側の２段目のロール状物品７の外側に隣接させて並べ、粘着テープ８の他端側を、上方から、２段目のロール状物品７の列方向に当該列の一端から他端まで貼り渡すことによって、付加的なロール状物品９を２段目のロール状物品７の列に固定している。そして、図５Ｂ〜Ｄに示すように、２段目のロール状物品７および付加的なロール状物品９の長手方向両端面のそれぞれにおいて、粘着テープ１０を、これらのロール状物品７、９の列方向に当該列の一端から他端まで貼り渡すことによって、これらのロール状物品７、９同士を固定する。
【００２６】
なお、上段のロール状物品をそれぞれその直ぐ下段のロール状物品の真上に配置しつつ、ロール状物品をパレット上に積み上げることもできる。この場合には、図６に示すように、２段目のロール状物品７の長手方向両端面のそれぞれにおいて、当該ロール状物品７の列の最外側のロール状物品７と、１段目のロール状物品１の列との間に、斜め方向に、少なくとも１本の粘着テープ１２を貼り渡すことによって、最外側のロール状物品７を１段目のロール状物品１の列に固定する。そして、図示はしないが、粘着テープを２段目のロール状物品７の列方向に当該列の一端から他端まで貼り渡すことによって、これらのロール状物品７同士を固定する。
この実施例によれば、段毎に同数のロール状物品を多段に積み上げることができる。
【００２７】
次いで、図７Ａ〜Ｃに示すように、２段に積み上げたロール状物品１、７、９の集積体の側面に、ラップフィルム１１を巻き付けることによって、ロール状物品１、７、９を互いに結束する。
【００２８】
さらに、図８Ａに示すように、結束したロール状物品１、７、９の集積体の上に、２段目と同様にして、３段目のロール状物品７’および付加的なロール状物品９’を互いに隣接させて平行に並べ（付加的なロール状物品９’は、２段目の付加的なロール状物品９から遠ざかる側の端に配置する）、これらのロール状物品７’、９’同士を粘着テープ３’によって固定し、４段目のロール状物品７”および付加的なロール状物品９”を３段目のロール状物品７’、９’の列の上に隣接させて平行に並べ（付加的なロール状物品９”は、３段目の付加的なロール状物品９’から遠ざかる側の端に配置する）、これらのロール状物品７”、９”同士を粘着テープ３”によって固定する。その後、図８Ｂ〜図９に示すように、４段に積み上げたロール状物品１、７、７’、７”、９、９’、９”の集積体の側面にラップフィルム１１’を巻き付けることによって、これらのロール状物品１、７、７’、７”、９、９’、９”を互いに結束する。それによって、梱包が完了する。
【００２９】
こうして、本発明の梱包方法によれば、ロール状物品を、パレット上に寝かせた状態で１段ずつ隙間無く並べ、要所を粘着テープで固定しながら積み上げてロール状物品の集積体を形成し、この集積体の側部にラップフィルムを巻き付けてロール状物品を互いに結束するだけでよいので、梱包作業を簡単にかつ短時間で行うことができる。
また、輸送時の積み込み・積み降ろし作業は、通常、フォークリフトを使用してパレット単位でなされるところ、本発明によれば、従来法のように小分け梱包したロール状物品の複数の組を関係するパレットに積み上げるのではなく、ロール状物品を直接パレット上において梱包してしまうので、ロール状物品の梱包体とパレットを常に１対１で関係づけることができるので、一部のロール状物品が間違ったパレット上に載せられる等の問題を生じさせることなく、輸送時のロール状物品の管理を確実に行うことができる。
また、本発明の梱包方法によれば、直方体に近い形状の梱包体とすることができるので、梱包体のトラックや船舶等での積み込みの際に、無駄なスペースの発生が最小限に抑えられる。この場合、ロール状物品の梱包体の上に、さらに別のロール状物品の梱包体を安定的に隙間無く積み上げることができる。こうして、従来の梱包法と比較して、同じ大きさのスペース内により多くのロール状物品を積み込むことができ、よって、輸送のコストを大幅に削減することができる。
【００３０】
また、本発明の梱包方法によれば、結束時に、粘着テープおよびラップフィルムをロール状物品に食い込ませることなく、ロール状物品をソフトに梱包することができ、よって、ロール状物品に、結束跡を残す等して傷をつけるおそれがない。
さらに、本発明の梱包方法によれば、梱包には、粘着テープおよびラップフィルムだけを使用するだけでよく、結束機や、梱包用袋および段ボール箱が不要になるから、梱包のコストを従来よりも大幅に削減することができる。
なお、本発明は、ロール状物品（円形断面の物品）だけでなく、それ以外の任意の断面形状の長尺物品の結束および梱包にも同様に適用可能であることは言うまでもない。
【符号の説明】
【００３１】
１  １段目のロール状物品
２  パレット
３、３’、３”  粘着テープ
４〜５  粘着テープ
６  付加的なロール状物品
７  ２段目のロール状物品
７’  ３段目のロール状物品
７”  ４段目のロール状物品
８、８’、８”  粘着テープ
９、９’、９”  付加的なロール状物品
１０  粘着テープ
１１、１１’  ラップフィルム
１２  粘着テープ
【図１】
0005314068.tif 000002
【図２】
0005314068.tif 000003
【図３】
0005314068.tif 000004
【図４】
0005314068.tif 000005
【図５】
0005314068.tif 000006
【図６】
0005314068.tif 000007
【図７】
0005314068.tif 000008
【図８】
0005314068.tif 000009
【図９】
0005314068.tif 000010
【図１０】
0005314068.tif 000011
【図１１】
0005314068.tif 000012